(57)【特許請求の範囲】
【請求項１】
ミシンのベッド部に着脱可能に装着される刺繍枠送りユニットであって、刺繍枠を直交する２方向へ独立に送り駆動する駆動手段と、前記刺繍枠送りユニットをベッド部に装着した連結状態を保持するように係止する係止機構と、操作部を備え、その操作部を操作することによって前記係止機構の係止を解除する解除機構とを備えた刺繍枠送りユニットにおいて、
前記刺繍枠送りユニットの本体ケースに、刺繍枠送りユニットをベッド部から取り外す際に把持する為の把持部を備え、
前記把持部に隣接させて前記本体ケースには、前記把持部を把持する際の手指を挿入可能なように外部に開放した開放部を形成し、
前記開放部内に又は開放部に臨むように前記解除機構の操作部を配設したことを特徴とする刺繍枠送りユニット。
【請求項２】
前記操作部は係止状態のとき前記開放部内へ突出することを特徴とする請求項１に記載の刺繍枠送りユニット。
【請求項３】
前記係止機構は、本体ケースに枢支部により回動自在に枢支され且つ回動によりベッド部の係合穴に係脱可能な係止爪部を含む係止部材を有し、前記解除機構は操作部から延びて係止部材に連結された操作部材を有し、前記操作部材を係止部材に連結する連結部から枢支部までのレバー長が、係止爪部から枢支部までのレバー長よりも短く設定されたことを特徴とする請求項１又は２に記載の刺繍枠送りユニット。
【請求項４】
前記把持部を本体ケースの両側部に夫々形成し、少なくとも一方の把持部に対応させて前記開放部及び前記解除機構の操作部を配置したことを特徴とする請求項１〜３の何れか１項に記載の刺繍枠送りユニット。
【発明の詳細な説明】
【０００１】
【発明の属する技術分野】
本発明は、刺繍枠を直交する２方向へ独立に送り駆動する駆動手段を備えミシンのベッド部に着脱可能に装着される刺繍枠送りユニットに関し、特にベッド部への連結状態を保持する係止機構を解除する解除機構を改善したものに関する。
【０００２】
【従来の技術】
従来、通常のミシンで刺繍縫製ができるように、ミシンのベッド部に着脱可能に装着される刺繍枠送りユニット（通称、刺繍機とも言う）が実用に供されている。この刺繍枠送りユニットは、刺繍枠を装着する枠装着部と、刺繍枠を直交する２方向へ独立に送り駆動する駆動機構と、本体ケースと、ミシン側の電気系に接続する電気コネクタ等を有する。前記刺繍枠送りユニットの本体ケースには、ベッド部ケースの係合部に係合させて連結する為の係合部が形成され、刺繍枠送りユニットをベッド部に装着して連結した状態を保持するように係止機構も設けられている（特開平４−３６４８８７号公報参照）。
【０００３】
図１０には、従来の代表的な刺繍枠送りユニット１００とミシンのベッド部  １０１とが図示され、刺繍枠送りユニット１００の本体ケース１０２の前側部の右端部には係止機構（図示略）を解除する解除用操作部１０３が設けられ、本体ケース１０２の左端部の下面側には刺繍枠送りユニット１００をベッド部１０１から取り外す際に手を掛ける為の把持部（図示略）が形成され、本体ケース１０２の右端面部にはベッド部１０１側の電気系コネクタに接続される電気系コネクタ１０４が設けられている。この従来の刺繍枠送りユニット１００をベッド部１０１から取り外す際には、左手を把持部に掛け、右手の指で解除用操作部１０３を押圧して係止機構を解除し、左手で本体ケース１０２を左方へ引出して取り外すようになっている。
【０００４】
尚、実開平７−３０９８９号公報には、オーバーロックミシンのミシンベッド装置が開示され、このミシンベッド装置の補助ベッドが着脱可能な構造であり、その補助ベッドのケースの後部の下端部に本体側ベッド部のケースの係合部に係脱する突出片と、この突出片と一体の押圧部（操作部）とを設け、前記突出片を本体側ベッドのケースの係合部に係合させることで、補助ベッドを本体側ベッド部に連結した状態を保持し、補助ベッドを取り外す際には押圧部を押して突出片の係合を解除するように構成してある。
【０００５】
【発明が解決しようとする課題】
図１０に示す従来の刺繍枠送りユニットでは、解除用操作部が把持から離れた部位に設けられているため、刺繍枠送りユニットを取り外す際には、左手で把持部を持ち、右手で解除用操作部を解除操作しながら取り外さなければならなかった。このように、刺繍枠送りユニットを片手で取外すことができないため、操作性に欠け煩雑であり、両手が取られてしまうため万一の事態に対処できなかった。
【０００６】
しかも、刺繍枠送りユニットがベッド部から外れないうちに、右手の解除操作を中止すると、係止機構の係止爪などを破損することもあるので、取り外すまで解除操作を継続する必要があった。尚、前記公報の補助ベッドの場合、前記突出片が補助ベッドのケースの把持部の近傍部位に設けられている訳ではないので、基本的に前記と同様の問題が残っている。
本発明の目的は、刺繍枠送りユニットをベッド部から簡単に取り外せるようにすること、刺繍枠送りユニットの本体ケースを把持した手で係止機構を解除可能にすること、等である。
【０００７】
【課題を解決するための手段】
請求項１の刺繍枠送りユニットは、ミシンのベッド部に着脱可能に装着される刺繍枠送りユニットであって、刺繍枠を直交する２方向へ独立に送り駆動する駆動手段と、前記刺繍枠送りユニットをベッド部に装着した連結状態を保持するように係止する係止機構と、操作部を備え、その操作部を操作することによって前記係止機構の係止を解除する解除機構とを備えた刺繍枠送りユニットにおいて、前記刺繍枠送りユニットの本体ケースに、刺繍枠送りユニットをベッド部から取り外す際に把持する為の把持部を備え、前記把持部に隣接させて前記本体ケースには、前記把持部を把持する際の手指を挿入可能なように外部に開放した開放部を形成し、前記開放部内に又は開放部に臨むように前記解除機構の操作部を配設したものである。
【０００８】
前記刺繍枠送りユニットをミシンのベッド部に装着した状態では、その連結状態を保持するように係止機構により係止されている。刺繍枠送りユニットをベッド部から取り外す際には、刺繍枠送りユニットの本体ケースに形成された把持部を片手で把持し、その片手の指で把持部の近傍にある操作部を操作すると、解除機構により係止機構の係止が解除されるため、その解除状態を維持しながらその片手で本体ケースを取外し方向へ引張ってベッド部から簡単に取り外すことができる。
また、把持部に隣接させて本体ケースには、把持部を把持する際の手指を挿入可能なように外部に開放した開放部を形成し、開放部内に又は開放部に臨むように解除機構の操作部を配設したので、開放部に手指を挿入して把持部を把持することができ、その手で操作部を操作できる。
【０００９】
請求項２の刺繍枠送りユニットは、請求項１の発明において、前記操作部は係止状態のとき前記開放部内へ突出することを特徴とするものである。それ故、操作部を操作したまま把持部を把持することができる。その他請求項１と同様の作用を奏する。
【００１０】
請求項３の刺繍枠送りユニットは、請求項１又は２の発明において、前記係止機構は、本体ケースに枢支部により回動自在に枢支され且つ回動によりベッド部の係合穴に係脱可能な係止爪部を含む係止部材を有し、前記解除機構は操作部から延びて係止部材に連結された操作部材を有し、前記操作部材を係止部材に連結する連結部から枢支部までのレバー長が、係止爪部から枢支部までのレバー長よりも短く設定されたことを特徴とするものである。それ故、刺繍枠送りユニットをベッド部に装着する際には、係止爪部を含む係止部材が回動して退避していき、刺繍枠送りユニットが連結状態になると、係止爪部がベッド部の係合穴に係合して係止状態となる。操作部から延びた操作部材が、係止部材に連結されているため、操作部を操作して係止部材を係止解除側へ操作することができる。
さらに、操作部材の操作部の操作量を増幅して係止爪部に伝達することができ、操作部の操作量を少なくすることができる。その他請求項１又は２と同様の作用を奏する。
【００１１】
請求項４の刺繍枠送りユニットは、請求項１〜３の何れか１項の発明において、前記把持部を本体ケースの両側部に夫々形成し、少なくとも一方の把持部に対応させて前記開放部及び前記解除機構の操作部を配置したことを特徴とするものである。刺繍枠送りユニットをベッド部から取り外す際には、両手で本体ケースの両側部の把持部を把持し、少なくとも一方の把持部に対応させた解除機構の操作部を一方の手で操作することができる。その他請求項１〜３の何れか１項と同様の作用を奏する。
【００１２】
【００１３】
【００１４】
【発明の実施の形態】
次に、本発明の実施の形態について図面を参照して説明する。
図１、図２に示すように、ミシン１は、実用模様を縫製可能な電子制御ミシンであるが、このミシン１に刺繍枠送りユニット２０を着脱自在に装着することで、刺繍縫製も可能になっている。このミシン１は、べッド部２と、脚柱部３と、アーム部４とを有し、アーム部４の左端のヘッド部５には縫針６や天秤７等があり、ベッド部２には加工布を送る送り歯があり、縫針や天秤や送り歯は通常の電子制御ミシンと同様の機構で駆動される。
【００１５】
アーム部４には、ディスプレイ８や操作パネル９が設けられ、これらを介してミシン１の制御ユニットに種々の指令を入力して種々の模様（複数の種類の実用縫目、種々の刺繍模様）を縫製できるようになっている。ベッド部２には、刺繍枠送りユニット２０を装着可能にする為のフリーアーム部２ａが設けられ、このフリーアーム部２ａが片持ち状に左方へ張り出し、このフリーアーム部２ａに刺繍枠送りユニット２０の本体ケース２１を外嵌状に係合させることで、刺繍枠送りユニット２０をベッド部２に着脱可能に装着するように構成してある。
【００１６】
前記刺繍枠送りユニット２０について図２〜図７を参照して説明する。
刺繍枠送りユニット２０は、基本的に、本体ケース２１と、着脱可能に取付けられる刺繍枠２２と、刺繍枠２２をＹ方向（前後方向）に移動駆動するステッピングモータを含むＹ駆動機構と、このＹ駆動機構を移動駆動することで刺繍枠２２をＸ方向（左右方向）へ移動駆動するステッピングモータを含むＸ駆動機構と、刺繍枠送りユニット２０をベッド部２に装着した連結状態を保持するように係止する係止機構２３と、この係止機構２３の係止を解除する解除機構２４と、刺繍枠送りユニット２０の電気系をミシン１側の電気系に接続する電気コネクタ２５等を有する。但し、Ｘ駆動機構とＹ駆動機構は、本願出願人が特開平４−３６４８８７号公報に開示したものと同様のものであり、本願発明と直接関係ないので、それらについての図示と説明は省略する。
【００１７】
刺繍枠送りユニット２０の本体ケース２１は、全体として平面視ほぼ矩形状をなし、本体ケース２１の上壁部２１ａにはフリーアーム２ａを導入する為の切欠き開口が形成され、本体ケース２１の左右両側部にはベッド部２の両側部のガイド溝にスライド自在に係合する係合部が形成されている。本体ケース２１の左端部の下部には、刺繍枠送りユニット２０をベッド部２から取り外す際に把持する為の前後方向に広幅の把持部２７が形成され、本体ケース２１の後部には、把持部２７の右側に隣接する下方開放状の広幅の凹部２８（開放部に相当する）が形成されている。
【００１８】
前記係止機構２３について説明する。
図３に示すように、この係止機構２３は係止部材２９と引張コイルスプリング３０と１対のスティ３１等で構成されている。係止部材２９は、立向きのレバー部３２と、このレバー部３２の中段上部から右方へほぼ水平に延びるレバー部３３と、レバー部３３の右端部の上面部から上方へ突出する係止爪部３４とを一体形成したもので、係止爪部３４の右面は傾斜案内面３４ａに形成されている。
【００１９】
前記レバー部３２の上端部が、本体ケース２１の底部から立設された１対のスティ３１の上端部に前後方向向きの枢支ピン３５にて回動自在に枢支されている。フリーアーム２ａの底壁１０には、係止爪３４が係脱可能な下方開放状の係合穴１１が形成され、本体ケース２１の壁部２１ｂには係合穴１１の下側に対向する開口穴３６が形成されている。
【００２０】
係止部材２９のレバー部３２の下端部は引張りコイルスプリング３０により係止爪部３４が係合穴１１に嵌まる方向へ弾性付勢されている。刺繍枠送りユニット２０を左方からフリーアーム２ａに装着する際には、フリーアーム２ａの湾曲状底壁１２により傾斜案内面３４ａが下方へ押されるため、係止部材２９は図２、図３において時計回りに回動して退避し、刺繍枠送りユニット２０がフリーアーム２ａに装着されると、引張りコイルスプリング３０の付勢力で係止部材２９が反時計回りに回動して係止爪３４が開口穴３６を通って係合穴１１に係合し、刺繍枠送りユニット２０の連結状態を保持するように係合穴１１の後側壁を係止する。
【００２１】
次に、前記係止機構２３の係止を解除する解除機構２４について説明する。
図３〜図５に示すように、この解除機構２４は、操作部４５を有する操作部材４０を有し、この操作部材４０は係止部材２９のレバー部３２の中段下部に連結されている。操作部材４０は前端部の連結ピン部４１ａを含むＴ形部４１（図６参照）と、Ｔ形部４１の左端から左方上り傾斜状に延びる傾斜部４２と、傾斜部４２から凹部２８の上側を経て左方へ水平に延びる水平部４３と、この水平部４３の左端から下方へ延びる鉛直部４４と、鉛直部４４の下端から凹部２８内へ水平に且つ右方へ突出する操作部４５とを一体形成してなる。
【００２２】
Ｔ形部４１の連結ピン部４１ａは、レバー部３２の中段下部にピン連結され（図６参照）、その連結部（連結ピン部４１ａ）から枢支ピン３５（枢支部）までのレバー長は、係止爪部３４から枢支ピン３５までのレバー長よりも短く設定され、操作部材４０の前後移動量を増幅して係止爪部３４に伝達するようになっている。操作部材４０の鉛直部４４は強度向上の為に凹部２８の前後幅よりも僅かに狭いだけの前後方向に広幅に形成され、操作部材４０の操作部４５は、操作性向上の為に凹部２８の前後幅よりも僅かに狭いだけの前後方向に広幅に形成されている。そして、操作部４５を後方へ押動できるように、把持部２７の後壁と操作部４５間には所定の隙間４６が確保されている。
【００２３】
尚、本体ケース２１のうちの凹部２８の後側壁には、操作部材４０の鉛直部４４と操作部４５とを可動に配置できる開口部４７が形成されている。操作部材４０の水平部４３の後部には操作部材４０の左右移動を許す為の長円穴４８が形成され（図６参照）、この長円穴４８に本体ケース２１から立設のボス部４９が挿入されて操作部材４０が左右方向へのみ移動可能に案内されている。水平部４３がボス部４９から外れないように規制する為に、本体ケース２１の上壁に規制部５０が垂設され、規制部５０の下端がボス部４９の上端付近に対向している。
【００２４】
以上説明した刺繍枠送りユニット２０の作用について説明する。
前記刺繍枠送りユニット２０を左方からミシン１のベッド部２に装着する際には、前述のように、フリーアーム２ａの湾曲状底壁１２により傾斜案内面３４ａが下方へ押されるため係止部材２９は図２、図３において時計回りに回動して退避し、刺繍枠送りユニット２０がベッド部２に正規の状態に装着されると、引張りコイルスプリング３０の付勢力で係止部材２９が反時計回りに回動して係止爪部３４が開口穴３６を通って係合穴１１に係合し、刺繍枠送りユニット２０の連結状態を保持するように係合穴１１の後側壁を係止する（図２、図３参照）。
【００２５】
刺繍枠送りユニット２０をベッド部２から取り外す際には、図４に示すように、例えば左手または右手の４本の指５１を凹部２８内に挿入し把持部２７にかけて操作部４５を左方へ押動させると、操作部材４０で係止部材２９が係止解除側へ回動駆動されて、係止爪部３４が係合穴１１から外れるので、その係止解除した状態を維持したまま把持部２７を左方へ引っ張ることにより、刺繍枠送りユニット２０を簡単かつ能率的にベッド部２から取り外すことができる。
【００２６】
このように、解除機構２４の操作部４５を操作する為にもう一方の手を使う必要がなく、把持部２７を把持した手で係止を解除したまま刺繍枠送りユニット２０をベッド部２から取り外すことができるから、もう一方の手を自由にし、その手で必要に応じて本体ケース２１の適当部位を支えつつ、刺繍枠送りユニット２０を簡単かつ能率的に取り外すことができ、もう一方の手で万一の事態に対処することができる。しかも、操作部４５は凹部２８と同程度の広幅に形成されているので、把持部２７にかけた手で容易に操作部４５を操作することができる。
【００２７】
操作部材４０を係止部材２９に連結する連結部（連結ピン部４１ａ）から枢支ピン３５までのレバー長が係止爪部３４から枢支ピン３５までのレバー長よりも短く設定されているので、操作部４５の操作量を増幅して係止爪部３４に伝達することができ、操作部４５の操作量を少なくすることができる。本体ケース２１に下方開放状の凹部２８を把持部２７に隣接する状態に設け、その凹部２８内に突出するように操作部４５を配設したので、把持部２７にかけた手で操作部４５を確実に操作でき、操作部４５を操作したまま把持部２７を引っ張ることができる。
【００２８】
尚、前記操作部材４０の操作部４５を省略し、鉛直部４４でもって操作部を構成することも可能であり、その操作部は凹部２８に臨む状態になっており、把持部２７にかけた手で前記と同様に容易に操作することができる。
【００２９】
次に、前記実施形態を部分的に変更した変更形態について説明する。
１）変更形態１・・・図７参照
この刺繍枠送りユニット２０Ａの解除機構２４Ａにおいては、係止部材２９Ａに枢支ピン３５よりも上方へ延びるレバー部５１が形成され、操作部材４０Ａの右端部がレバー部５１の上端部に前記同様の連結ピン部４１ａを介してピン連結されている。操作部材４０Ａの左端部の鉛直部４４の下端には操作部４５Ａが形成され、この操作部４５Ａは把持部２７の左側面から左方へ突出する状態に設けられている。その他、前記の実施形態と同様の構成要素に同一符号を付して説明を省略する。
【００３０】
刺繍枠送りユニット２０Ａをベッド部２から取り外す際には、把持部２７に手をかけ、その手で操作部４５Ａを右方へ押すと、図７に示すように、係止機構２３の係止が解除されるので、その係止解除状態を維持したまま把持部２７を左方へ引っ張ることで、刺繍枠送りユニット２０Ａをベッド部２から簡単に能率的に取り外すことができる。操作部４５Ａが把持部２７の左側面から左方へ突出しているので、操作部４５Ａの出没の状態を視て、係止爪部３４の係脱の状態を知ることができる。その他、基本的には前記実施形態と同様の作用、効果を奏する。
【００３１】
２）変更形態２・・・図８参照
この刺繍枠送りユニット２０Ｂの解除機構２４Ｂにおいては、係止部材２９Ｂのレバー部３２と一体の操作部材４０Ｂであってストレート状の操作部材４０Ｂが設けられ、この操作部材４０Ｂは凹部２８の右壁の開口５２を挿通して凹部２８内へ延び、操作部材４０Ｂには凹部２８内を斜めに挿通した広幅の操作部４５Ｂが形成され、操作部４５Ｂの左端部は、凹部２８の左壁の開口５３に摺動自在に嵌まって案内されている。
【００３２】
刺繍枠送りユニット２０Ｂをベッド部２から取り外す際には、把持部２７に手をかけ、その手で操作部４５Ｂを上方へ押すと、係止部材２９Ｂが係止解除状態に切換えられ、その操作状態のまま把持部２７を左方へ引っ張ることで、刺繍枠送りユニット２０Ｂを簡単に能率的に取り外すことができる。この解除機構２４Ｂでは、操作部４５Ｂを上方へ操作すればよいので、把持部２７に手をかける動作で操作部４５Ｂが操作される。その他、基本的には前記実施形態と同様の作用、効果を奏する。
【００３３】
３）変更形態３・・・図９参照
この刺繍枠送りユニット２０Ｃにおいては、前述の把持部２７の代わりに、本体ケース２１の前後両側部には、凹部５４が夫々形成され、各凹部５４の上壁部が把持部５５として構成されている。そして、例えば前側の凹部５４には、解除機構の操作部材の操作部４５Ｃが突出状に設けられ、その操作部４５Ｃを上方へ操作することで解除機構を解除作動させるように構成されている。
【００３４】
従って、刺繍枠送りユニット２０Ｃをベッド部２から取り外す際には、左右の手を１対の凹部５４に夫々挿入して両方の把持部５５を把持し、右手で操作部４５Ｃを操作すると、解除機構により係止機構の係止が解除され、その解除状態を維持したまま、両手で刺繍枠送りユニット２０Ｃを左方へ移動させることで、簡単に刺繍枠送りユニット２０Ｃを取り外すことができる。但し、左右両方の把持部５５の近傍位置に操作部４５Ｃを夫々設けてもよい。
【００３５】
４）  その他の変更例について簡単に説明すると、本体ケースの左端部の上端側に把持部を形成し、その把持部の近傍位置に解除機構の操作部を設けてもよく、また、前記操作部の代わりに押しボタン式の操作部を設けてもよい。
【００３６】
前記種々の実施形態では、刺繍枠送りユニットをベッド部から取り外す際に手をかける把持部の近傍位置に操作部を設ける場合を例として説明したが、刺繍枠送りユニットを装着する際にも取り外す際にも把持する把持部を設け、その把持部の近傍位置に操作部を配置し、刺繍枠送りユニットを装着する際にも取り外す際にも係止機構を解除機構で解除させるように構成することも有る。その他、本発明の趣旨逸脱しない範囲で、種々の変更を付加した態様で実施可能であることは勿論である。
【００３７】
【発明の効果】
請求項１の発明によれば、刺繍枠送りユニットの本体ケースに、刺繍枠送りユニットをベッド部から取り外す際に把持する為の把持部を備え、把持部に隣接させて本体ケースには、把持部を把持する際の手指を挿入可能なように外部に開放した開放部を形成し、開放部内に又は開放部に臨むように解除機構の操作部を配設したので、開放部に手指を挿入して把持部を把持することができ、その手で操作部を操作できる。それ故、本体ケースの把持部を片手で把持し、その片手の指で把持部の近傍にある操作部を操作して係止機構の係止を解除し、その解除状態を維持しながら、その片手で本体ケースを取外し方向へ引張ってベッド部から簡単に取り外すことができる。
【００３８】
このように、係止機構の係止を解除する為にもう一方の片手を使う必要がなく、本体ケースを把持した手で係止を解除したまま本体ケースをベッド部から取り外すことができるから、もう一方の片手を自由にし、その片手で必要に応じて本体ケースの適当部位を支えつつ、刺繍枠送りユニットを簡単かつ能率的に取り外すことができ、もう一方の片手で万一の事態に対処することができる。
【００３９】
請求項２の発明によれば、操作部は係止状態のとき開放部内へ突出しているので、操作部を操作したまま把持部を把持することができる。その他請求項１と同様の効果を奏する。
【００４０】
請求項３の発明によれば、係止機構は、本体ケースに枢支部により回動自在に枢支され且つ回動によりベッド部の係合穴に係脱可能な係止爪部を含む係止部材を有し、解除機構は操作部から延びて係止部材に連結された操作部材を有するので、操作部を操作して係止部材を係止解除側へ操作することができる。
さらに、操作部材を係止部材に連結する連結部から枢支部までのレバー長が係止爪部から枢支部までのレバー長よりも短く設定されたので、操作部材の操作部を操作量を増幅して係止爪部に伝達することができ、操作部の操作量を少なくすることができる。その他請求項１又は２と同様の効果を奏する。
【００４１】
請求項４の発明によれば、把持部を本体ケースの両側部に夫々形成し、少なくとも一方の把持部に対応させて開放部及び解除機構の操作部を配置したので、刺繍枠送りユニットをベッド部から取り外す際には、両手で本体ケースの両側部の把持部を把持し、少なくとも一方の把持部に対応させた解除機構の操作部を一方の手で操作することができる。その他請求項１〜３の何れか１項と同様の効果を奏する。
【００４２】
【００４３】
【図面の簡単な説明】
【図１】本発明の実施形態に係るミシンとそのミシンに装着された刺繍枠送りユニットの正面図である。
【図２】刺繍枠送りユニットとベッド部の要部縦断正面図である。
【図３】刺繍枠送りユニット（係止状態）の要部拡大縦断正面図である。
【図４】刺繍枠送りユニット（係止解除状態）の要部拡大縦断正面図である。
【図５】刺繍枠送りユニットの横断平面図である。
【図６】操作部材と係止部材の一部の平面図である。
【図７】変更形態１に係る図４相当図である。
【図８】変更形態２に係る図４相当図である。
【図９】変更形態３に係る図１相当図である。
【図１０】従来技術に係る刺繍枠送りユニットとベッド部の斜視図である。
【符号の説明】
１          ミシン
２          ベッド部
１１        係合穴
２０，２０Ａ，２０Ｂ        刺繍枠送りユニット
２１        本体ケース
２３        係止機構
２４，２４Ａ，２４Ｂ        解除機構
２７，５５                  把持部
２８，５４                  凹部
２９，２９Ａ，２９Ｂ        係止部材
３４        係止爪部
３５        枢支ピン
４０，４０Ａ，４０Ｂ        操作部材
４５，４５Ａ，４５Ｂ，４５Ｃ      操作部
【図１】
0003951397.tif 000002
【図２】
0003951397.tif 000003
【図３】
0003951397.tif 000004
【図４】
0003951397.tif 000005
【図５】
0003951397.tif 000006
【図６】
0003951397.tif 000007
【図７】
0003951397.tif 000008
【図８】
0003951397.tif 000009
【図９】
0003951397.tif 000010
【図１０】
0003951397.tif 000011